(57)【要約】【課題】携帯端末装置が外部と通信できない状況下においても、携帯端末装置内の機密情報の漏洩を防止した情報処理システムを提供する。【解決手段】暗号化鍵により暗号化された機密情報が格納され、暗号化鍵に対応する復号鍵と新規暗号化鍵を外部から受信すると、暗号化された機密情報を復号鍵で復号した後、機密情報を新規暗号化鍵で暗号化して格納する携帯端末装置と、携帯端末装置に対応する、暗号化された機密情報が復号許可されているか否かを示す設定情報ならびに暗号化鍵および復号鍵を保存し、一定時間毎に、暗号化鍵および復号鍵を生成して格納するとともに、携帯端末装置の設定情報を参照し、設定情報が復号許可情報である場合、最後に送信した暗号化鍵に対応する復号鍵と新規暗号化鍵を携帯端末装置に送信し、設定情報が復号禁止情報である場合、携帯端末装置に何も送信しない情報処理装置とを有する。【選択図】図１
2007201885.tif 000002
【特許請求の範囲】
【請求項１】
暗号化鍵により暗号化された機密情報が格納された記憶部と該暗号化鍵に対応する復号鍵と新規暗号化鍵を外部から受信すると、暗号化された機密情報を該復号鍵で復号した後、該機密情報を該新規暗号化鍵で暗号化して前記記憶部に格納する制御部とを含む携帯端末装置と、
前記携帯端末装置と通信網を介して接続され、該携帯端末装置に対応する、暗号化された機密情報が復号許可されているか否かを示す設定情報ならびに前記暗号化鍵および該暗号化鍵に対応する復号鍵を保存するための記憶部と一定時間毎に、該暗号化鍵および該復号鍵を生成して該記憶部に格納するとともに、前記携帯端末装置の設定情報を該記憶部で参照し、該設定情報が復号を許可する旨を示す復号許可情報である場合、前記携帯端末装置に最後に送信した暗号化鍵に対応する復号鍵と前記新規暗号化鍵を前記記憶部から読み出して前記携帯端末装置に送信し、前記設定情報が復号を許可しない旨を示す復号禁止情報である場合、前記携帯端末装置に何も送信しない制御部とを含む情報処理装置と、
を有する情報処理システム。
【請求項２】
前記情報処理装置の制御部は、
外部から前記携帯端末装置における暗号化された機密情報の復号を禁止する旨の信号を受信すると、該携帯端末装置の設定情報を前記復号禁止情報に更新する請求項１記載の情報処理システム。
【請求項３】
前記情報処理装置の制御部は、
前記携帯端末装置から前記機密情報の復号を要求する旨の信号を受信すると、該携帯端末装置の設定情報を参照し、該設定情報が前記復号許可情報である場合、最後に送信した暗号化鍵に対応する復号鍵を該携帯端末装置に送信し、該設定情報が復号禁止情報である場合、該携帯端末装置に何も送信しない、請求項１または２記載の情報処理システム。
【請求項４】
通信網を介して携帯端末装置と接続される情報処理装置であって、
前記携帯端末装置に対応する、暗号化された機密情報が復号許可されているか否かを示す設定情報ならびに暗号化鍵および該暗号化鍵に対応する復号鍵を保存するための記憶部と、
一定時間毎に、前記暗号化鍵および前記復号鍵を生成して前記記憶部に格納するとともに、前記携帯端末装置の設定情報を該記憶部で参照し、該設定情報が復号を許可する旨を示す復号許可情報である場合、前記携帯端末装置に最後に送信した暗号化鍵に対応する復号鍵と新規暗号化鍵を前記記憶部から読み出して前記携帯端末装置に送信し、前記設定情報が復号を許可しない旨を示す復号禁止情報である場合、前記携帯端末装置に何も送信しない制御部と、
を有する情報処理装置。
【請求項５】
携帯端末装置と該携帯端末装置に通信網を介して接続される情報処理装置とによる、該携帯端末装置の機密情報の漏洩防止のための情報処理方法であって、
前記携帯端末装置が、前記情報処理装置から受信した暗号化鍵により機密情報を暗号化して自装置に格納するステップと、
前記情報処理装置が、前記携帯端末装置に対応する、暗号化された機密情報が復号許可されているか否かを示す設定情報を自装置に格納するステップと、
前記情報処理装置が、一定時間毎に、暗号化鍵および該暗号化鍵に対応する復号鍵を生成して格納するとともに、前記携帯端末装置の設定情報を参照するステップと、
前記情報処理装置が、前記設定情報の参照の結果、該設定情報が復号を許可する旨を示す復号許可情報である場合、前記携帯端末装置に最後に送信した暗号化鍵に対応する復号鍵と新規暗号化鍵を読み出して前記携帯端末装置に送信し、前記設定情報が復号を許可しない旨を示す復号禁止情報である場合、前記携帯端末装置に何も送信しないステップと、
前記携帯端末装置が、前記復号鍵および前記新規暗号化鍵を前記情報処理装置から受信すると、暗号化された機密情報を該復号鍵で復号した後、該機密情報を該新規暗号化鍵で暗号化して格納するステップと、
を有する情報処理方法。
【請求項６】
携帯端末装置に通信網を介して接続されるコンピュータに実行させるプログラムであって、
前記携帯端末装置に対応する、暗号化された機密情報が復号許可されているか否かを示す設定情報を自装置に格納するステップと、
一定時間毎に、暗号化鍵および該暗号化鍵に対応する復号鍵を生成して格納するとともに、前記携帯端末装置の設定情報を参照するステップと、
前記設定情報の参照の結果、該設定情報が復号を許可する旨を示す復号許可情報である場合、前記携帯端末装置に最後に送信した暗号化鍵に対応する復号鍵と新規暗号化鍵を読み出して前記携帯端末装置に送信し、前記設定情報が復号を許可しない旨を示す復号禁止情報である場合、前記携帯端末装置に何も送信しないステップと、
を有する処理を前記コンピュータに実行させるためのプログラム。
【発明の詳細な説明】
【技術分野】
【０００１】
本発明は、情報処理システム、情報処理装置および情報処理方法と、コンピュータに実行させるためのプログラムとに関する。
【背景技術】
【０００２】
近年、携帯電話端末は高機能化が進んでおり、それに伴って携帯電話端末およびＰＤＡ（Personal Digital Assistant）を含む携帯端末装置上で様々な機密情報を管理し利用する要望はますます高まっている。携帯端末装置を紛失したり、携帯端末装置が盗難に遭ったりした場合、携帯端末装置に保存されている個人情報等の機密情報がこれを悪用しようとする者（以下、悪用者と称する）に漏洩する危険があった。
【０００３】
機密情報の漏洩を防止するために、特許文献１で次のような方法が提案されている。ユーザがサービスセンタへ紛失届けをすると、サービスセンタから携帯端末装置にデータ消去サービスの設定状態が送信される。携帯端末装置がサービスセンタからデータ消去サービスの設定状態を受信すると、電話帳などの個人情報データの消去を行うことにより、機密情報漏洩を防止している。
【０００４】
また、特許文献２や特許文献３においても、特許文献１に開示された技術と同様に、なんらかの通信の受信をトリガに機密情報の削除を実行する形態を取っている。
【０００５】
また、特許文献４では、２つの機器の近距離無線通信を利用した相互認証を利用し、相互認証ができない状況で一部機能を一時的に失効させることにより、機密情報漏洩を防止している。
【０００６】
さらに、特許文献５では、ＧＰＳ受信装置による位置情報に基づいて情報漏洩防止のための緊急措置を実行することで機密情報漏洩を防止している。
【０００７】
このようにして、携帯端末装置を紛失したり、携帯端末装置が盗難に遭ったりした場合、携帯端末装置上の機密情報の漏洩防止機能は、サービスセンタやＧＰＳ、その他の通信手段を用いた通信信号を携帯端末装置が受信することによって実行されていた。
【特許文献１】特開２００３−３１９４５３号公報
【特許文献２】特開２００３−０７００６３号公報
【特許文献３】特開２００３−０４７０６５号公報
【特許文献４】特開２００３−２８８３２８号公報
【特許文献５】特開２００３−２４２０４１号公報
【発明の開示】
【発明が解決しようとする課題】
【０００８】
しかし、特許文献１に開示の技術では、携帯端末装置がサービスセンタからの設定情報を受信できない状況に置かれていると、機密情報の漏洩を防ぐことができないという問題があった。特許文献２や特許文献３に開示の技術においても、特許文献１の場合と同様の理由で、悪用者により意図的に通信が遮断された状況下では、機密情報の漏洩を防ぐことができないという問題があった。
【０００９】
また、特許文献４に開示の技術では、正常に利用するためには常に２つの機器を利用する必要があり、利便性の点で問題があった。特許文献５に開示の技術では、ＧＰＳ信号を受信できない状況に置かれていると、機密情報の漏洩を防ぐことができないという問題があった。
【００１０】
携帯端末装置が一切の通信を受信できない状況を容易に作り出すことができてしまうため、従来のいずれの技術においても、携帯端末装置上の機密情報漏洩を完全に防止することは困難であった。
【００１１】
本発明は上述したような従来の技術が有する問題点を解決するためになされたものであり、携帯端末装置が外部と通信できない状況下においても、携帯端末装置内の機密情報の漏洩を防止した情報処理システム、情報処理装置および情報処理方法と、その方法をコンピュータに実行させるためのプログラムとを提供することを目的とする。
【課題を解決するための手段】
【００１２】
上記目的を達成するための本発明の情報処理システムは、
暗号化鍵により暗号化された機密情報が格納された記憶部と該暗号化鍵に対応する復号鍵と新規暗号化鍵を外部から受信すると、暗号化された機密情報を該復号鍵で復号した後、該機密情報を該新規暗号化鍵で暗号化して前記記憶部に格納する制御部とを含む携帯端末装置と、
前記携帯端末装置と通信網を介して接続され、該携帯端末装置に対応する、暗号化された機密情報が復号許可されているか否かを示す設定情報ならびに前記暗号化鍵および該暗号化鍵に対応する復号鍵を保存するための記憶部と一定時間毎に、該暗号化鍵および該復号鍵を生成して該記憶部に格納するとともに、前記携帯端末装置の設定情報を該記憶部で参照し、該設定情報が復号を許可する旨を示す復号許可情報である場合、前記携帯端末装置に最後に送信した暗号化鍵に対応する復号鍵と前記新規暗号化鍵を前記記憶部から読み出して前記携帯端末装置に送信し、前記設定情報が復号を許可しない旨を示す復号禁止情報である場合、前記携帯端末装置に何も送信しない制御部とを含む情報処理装置と、
を有する構成である。
【００１３】
本発明では、機密情報を暗号化した状態で携帯端末装置内に格納しているため、機密情報の秘匿性が維持されるとともに、情報処理装置から新規暗号鍵を受信する度に機密情報の暗号化を更新するため、機密情報の秘匿性が向上する。
【００１４】
一方、上記目的を達成するための本発明の情報処理装置は、通信網を介して携帯端末装置と接続される情報処理装置であって、
前記携帯端末装置に対応する、暗号化された機密情報が復号許可されているか否かを示す設定情報ならびに暗号化鍵および該暗号化鍵に対応する復号鍵を保存するための記憶部と、
一定時間毎に、前記暗号化鍵および前記復号鍵を生成して前記記憶部に格納するとともに、前記携帯端末装置の設定情報を該記憶部で参照し、該設定情報が復号を許可する旨を示す復号許可情報である場合、前記携帯端末装置に最後に送信した暗号化鍵に対応する復号鍵と新規暗号化鍵を前記記憶部から読み出して前記携帯端末装置に送信し、前記設定情報が復号を許可しない旨を示す復号禁止情報である場合、前記携帯端末装置に何も送信しない制御部と、
を有する構成である。
【００１５】
また、上記目的を達成するための本発明の情報処理方法は、携帯端末装置と該携帯端末装置に通信網を介して接続される情報処理装置とによる、該携帯端末装置の機密情報の漏洩防止のための情報処理方法であって、
前記携帯端末装置が、前記情報処理装置から受信した暗号化鍵により機密情報を暗号化して自装置に格納するステップと、
前記情報処理装置が、前記携帯端末装置に対応する、暗号化された機密情報が復号許可されているか否かを示す設定情報を自装置に格納するステップと、
前記情報処理装置が、一定時間毎に、暗号化鍵および該暗号化鍵に対応する復号鍵を生成して格納するとともに、前記携帯端末装置の設定情報を参照するステップと、
前記情報処理装置が、前記設定情報の参照の結果、該設定情報が復号を許可する旨を示す復号許可情報である場合、前記携帯端末装置に最後に送信した暗号化鍵に対応する復号鍵と新規暗号化鍵を読み出して前記携帯端末装置に送信し、前記設定情報が復号を許可しない旨を示す復号禁止情報である場合、前記携帯端末装置に何も送信しないステップと、
前記携帯端末装置が、前記復号鍵および前記新規暗号化鍵を前記情報処理装置から受信すると、暗号化された機密情報を該復号鍵で復号した後、該機密情報を該新規暗号化鍵で暗号化して格納するステップと、
を有するものである。
【００１６】
さらに、上記目的を達成するための本発明のプログラムは、携帯端末装置に通信網を介して接続されるコンピュータに実行させるプログラムであって、
前記携帯端末装置に対応する、暗号化された機密情報が復号許可されているか否かを示す設定情報を自装置に格納するステップと、
一定時間毎に、暗号化鍵および該暗号化鍵に対応する復号鍵を生成して格納するとともに、前記携帯端末装置の設定情報を参照するステップと、
前記設定情報の参照の結果、該設定情報が復号を許可する旨を示す復号許可情報である場合、前記携帯端末装置に最後に送信した暗号化鍵に対応する復号鍵と新規暗号化鍵を読み出して前記携帯端末装置に送信し、前記設定情報が復号を許可しない旨を示す復号禁止情報である場合、前記携帯端末装置に何も送信しないステップと、
を有する処理を前記コンピュータに実行させるものである。
【発明の効果】
【００１７】
本発明によれば、携帯端末装置に機密情報が暗号化された状態で保存されるため、外部から復号鍵を受信して、暗号化された機密情報を復号しなければ、そのままの状態では携帯端末装置を操作しても機密情報を見ることができない。携帯端末装置の紛失や盗難があった場合、携帯端末装置に復号鍵を送信しないようにすれば、暗号化された機密情報の復号が不可能となり、機密情報の漏洩を防止できる。
【発明を実施するための最良の形態】
【００１８】
本発明の情報処理システムは、携帯端末装置に保存される機密情報を常時暗号化した状態にし、携帯端末装置が外部から復号鍵を受信しない限り、暗号化された機密情報を復号できない構成にしたことを特徴とする。
【００１９】
本実施例の情報処理システムの構成を説明する。図１は本実施例の情報処理システムの一構成例を示すブロック図である。
【００２０】
図１に示すように、情報処理システムは、利用者側の携帯端末装置１０と、携帯端末装置１０に各種情報を提供するサービスセンタ２０とが携帯通信網１００で接続されている。携帯端末装置１０は複数あってもよいが、本実施例では、説明を簡単にするために、携帯端末装置１０が１台の場合とする。サービスセンタ２０内には、暗号化鍵・復号鍵送信装置（以下では、単に「鍵送信装置」と称する）２１と、暗号化鍵・復号鍵生成管理装置（以下では、単に「鍵生成管理装置」と称する）２２と、利用者管理装置２３とが設けられ、それぞれＬＡＮ（Local Area Network）２４で接続されている。そして、ＬＡＮ２４は携帯通信網１００と接続されている。
【００２１】
携帯端末装置１０は、暗号化鍵・復号鍵受信部（以下では、単に「鍵受信部」と称する）１１と、機密情報管理部１２とを有する。鍵受信部１１は、携帯通信網１００を介して鍵送信装置２１から受信する暗号化鍵および復号鍵を機密情報管理部１２に渡す。機密情報管理部１２は、予め入力された機密情報を保持するとともに、鍵受信部１１から受け取る暗号化鍵および復号鍵を格納する。そして、暗号化鍵を用いて機密情報を暗号化し、復号鍵を用いて機密情報を復号する。
【００２２】
ここで、携帯端末装置１０の構成を詳しく説明する。図２は携帯端末装置の一構成例を示すブロック図である。携帯端末装置１０は、外部と情報を送受信するための通信部１３と、情報を格納するための記憶部１４と、各部を制御する制御部１５と、利用者が指示を入力するための操作部１６と、情報を表示するための表示部１７とを有する。制御部１５には、プログラムにしたがって所定の処理を実行するＣＰＵ（Central Processing Unit）と、プログラムを格納するためのメモリ（不図示）とが設けられている。図１に示す鍵受信部１１は、通信部１３および制御部１５により動作する仮想的な構成である。機密情報管理部１２は、記憶部１４および制御部１５により動作する仮想的な構成である。以下では、本発明の機密情報の秘匿化に関連し、鍵受信部１１と機密情報管理部１２の構成で説明する。また、通常の通信機能については従来の携帯端末装置と同様であるため、その詳細な説明を省略する。
【００２３】
鍵送信装置２１、鍵生成管理装置２２および利用者管理装置２３のそれぞれは、図３に示すように、外部と情報を送受信するための通信部３１と、情報を格納するための記憶部３２と、各部を制御する制御部３３とを有するコンピュータおよびサーバ装置等の情報処理装置３０である。制御部３３には、プログラムにしたがって所定の処理を実行するＣＰＵ（Central Processing Unit）と、プログラムを格納するためのメモリ（不図示）とが設けられている。
【００２４】
鍵生成管理装置２２は、機密情報を秘匿化するための暗号化鍵と暗号化された機密情報を復号するための復号鍵とを一定時間毎に新しく生成し、これらの鍵を保存する。利用者管理装置２３は、携帯端末装置１０毎の設定情報を管理する。
【００２５】
設定情報とは、携帯端末装置１０に復号鍵を送信可能にするか否かを設定するための情報である。設定情報について詳しく説明する。利用者が携帯端末装置１０を紛失したり、携帯端末装置１０が盗難に遭ったりした場合、携帯端末装置１０から復号鍵の要求があると、悪用者の操作による要求であることが考えられる。この場合、復号鍵を送信しないようにする必要があり、利用者管理装置２３に格納される設定情報は、復号鍵の送信を禁止する旨を示す「復号禁止情報」となる。一方、正規の利用者が携帯端末装置１０を保持している場合には、暗号化された機密情報の復号化を阻止する必要はない。復号鍵を送信可能とする場合には、設定情報は、復号鍵の送信を許可する旨を示す「復号許可情報」となる。初期状態では、各携帯端末装置１０の設定情報は復号許可情報であり、利用者管理装置２３は、暗号化された機密情報の復号を禁止する旨の信号である復号禁止信号を受信すると、設定情報を復号禁止情報に更新する。
【００２６】
鍵送信装置２１は、一定時間毎に利用者管理装置２３に格納された設定情報を参照し、設定情報が復号許可情報である場合、最後に送信した暗号化鍵に対応する復号鍵と新たに生成された暗号化鍵である新規暗号化鍵を鍵生成管理装置２２から読み出して携帯端末装置１０に送信する。一方、設定情報が復号禁止情報である場合、携帯端末装置１０に何も送信しない。また、携帯端末装置１０から機密情報の復号化を要求する旨の復号要求信号を受信すると、利用者管理装置２３に格納された設定情報を参照し、設定情報が復号許可情報である場合、最後に送信した暗号化鍵に対応する復号鍵を携帯端末装置１０に送信し、設定情報が復号禁止情報である場合、携帯端末装置１０に何も送信しない。
【００２７】
なお、鍵送信装置２１および利用者管理装置２３のそれぞれと携帯端末装置１０との間で送受信される信号および情報には、携帯端末装置１０を識別可能にするための電子メールアドレスおよび電話番号等の識別子が含まれている。この識別子の情報を用いて、鍵送信装置２１、鍵生成管理装置２２および利用者管理装置２３は携帯端末装置１０に対応する処理を行うことを可能にしている。
【００２８】
次に、本実施例の情報処理システムの動作を説明する。図４は本実施例の情報処理システムの動作手順を示すフローチャートである。
【００２９】
鍵生成管理装置２２は、予め入力された一定の時間間隔で、暗号化鍵および復号鍵を生成する（ステップ２０１）。また、鍵送信装置２１は、一定時間間隔で携帯端末装置１０の設定情報を利用者管理装置２３に要求する（ステップ２０２）。利用者管理装置２３は、設定情報の要求を受けると、その携帯端末装置１０の設定情報を鍵送信装置２１に送信する（ステップ２０３）。
【００３０】
鍵送信装置２１は、利用者管理装置２３から受け取った設定情報を参照し、設定情報が復号許可か、復号禁止であるかを判定する（ステップ２０４）。設定情報が復号禁止である場合、暗号化鍵および復号鍵の送信は行わない（ステップ２０５）。設定情報が復号禁止であると、携帯端末装置１０の紛失または盗難があったことを意味している。
【００３１】
一方、ステップ２０４で設定情報が復号許可である場合、携帯端末装置１０の紛失および盗難等がないことを意味する。この場合、鍵送信装置２１は、前回送信した暗号化鍵に対応する復号鍵と、新たに生成された暗号化鍵（新規暗号化鍵）を鍵生成管理装置２２に要求する（ステップ２０６）。そして、鍵生成管理装置２２から受け取る復号鍵および暗号化鍵を携帯通信網１００を介して携帯端末装置１０に送信する（ステップ２０７）。
【００３２】
携帯端末装置１０の鍵受信部１１は、鍵送信装置２１から携帯通信網１００を介して暗号化鍵および復号鍵を受信すると、暗号化鍵および復号鍵を機密情報管理部１２に渡す。機密情報管理部１２は、暗号化鍵・復号鍵受信部１１から暗号化鍵および復号鍵を受け取ると、暗号化された機密情報に対して復号鍵を用いて復号化する。続いて、受け取った暗号化鍵を用いて機密情報を暗号化して保存する（ステップ２０８）。
【００３３】
なお、正規の利用者が機密情報を表示部１７に表示させる場合には、次のようになる。利用者が携帯端末装置１０の操作部１５を操作して、機密情報を表示させる旨の指示を入力すると、携帯端末装置１０は、復号要求信号を鍵送信装置２１に送信する。鍵送信装置２１は、携帯端末装置１０から復号要求信号を受信すると、利用者管理装置２３に格納された設定情報を参照し（ステップ２０２、２０３）、設定情報が復号許可情報であることを確認する（ステップ２０４）。そして、最後に送信した暗号化鍵に対応する復号鍵を携帯端末装置１０に送信する。携帯端末装置１０は、鍵送信装置２１から受信した復号鍵で、暗号化された機密情報を復号化して表示部１７に表示する。
【００３４】
一方、携帯端末装置１０が悪用者の手に渡り、その携帯端末装置１０の設定情報が復号禁止情報に設定された場合、次のようになる。悪用者が携帯端末装置１０の操作部１５を操作して、機密情報を表示させる旨の指示を入力すると、携帯端末装置１０が復号要求信号を鍵送信装置２１に送信する。鍵送信装置２１は、ステップ２０４で設定情報を参照し、設定情報が復号禁止であることを確認すると、ステップ２０５と同様に、鍵送信携帯端末装置１０に何も送信しない。
【００３５】
上述したように、本発明の情報処理システムでは、携帯端末装置１０に格納された機密情報をサービスセンタ２０で生成された暗号化鍵で予め暗号化することによって、サービスセンタ２０から送信される復号鍵で復号する手続きを経ないと機密情報を参照できなくしている。したがって、携帯端末装置１０の利用者から紛失や盗難の届けをサービスセンタ１０が受理する場合、サービスセンタ２０からの復号鍵の送信を中止することで、携帯端末装置１０に格納された機密情報の復号が不可能となり、機密情報漏洩を防止できる。
【００３６】
また、携帯端末装置１０において暗号化鍵を一定時間間隔で更新することにより、機密情報の秘匿の安全性が向上する。
【００３７】
なお、本実施例では、サービスセンタ２０に鍵送信装置２１、鍵生成管理装置２２および利用者管理装置２３を設ける場合で説明したが、これらの装置の機能を全て備えた情報処理装置を用いるようにしてもよい。また、鍵送信装置２１、鍵生成管理装置２２および利用者管理装置２３による情報処理方法をコンピュータに実行させるプログラムに適用してもよい。
【図面の簡単な説明】
【００３８】
【図１】本実施例の情報処理システムの一構成例を示すブロック図である。
【図２】携帯端末装置の一構成例を示すブロック図である。
【図３】サービスセンタに設けられた各種装置の一構成例を示すブロック図である。
【図４】本実施例の情報処理システムの動作手順を示すフローチャートである。
【符号の説明】
【００３９】
１０    携帯端末装置
２１    暗号化鍵・復号鍵送信装置
２２    暗号化鍵・復号鍵生成管理装置
２３    利用者管理装置
１００    携帯通信網
【図１】
2007201885.tif 000003
【図２】
2007201885.tif 000004
【図３】
2007201885.tif 000005
【図４】
2007201885.tif 000006